(57)【要約】【課題】同時に２つ以上の負荷回路への電圧供給を必要としない場合に、回路の小型化が可能で、電圧出力の高速な立ち上げが可能な電圧供給回路を提供する。【解決手段】電圧供給回路において、基準電圧発生回路は、基準電圧を発生する。オペアンプ回路は、基準電圧に基づいて出力電圧を生成する。選択回路は、少なくとも２つの第１端子を有し、制御部からの制御信号に基づいて制御され、第１端子のうちいずれか１つを選択し、選択された第１端子を介して通過した出力電圧を表す通過出力電圧を生成する。第２端子は、通過出力電圧を受け、負荷回路へ出力可能である。検出回路は、通過出力電圧の大きさを検出し、検出電圧を生成する。選択回路は、制御信号に基づいて制御され、少なくとも２系統の検出電圧のうち、通過出力電圧に対応する電圧を選択し、選択された検出電圧を生成する。オペアンプ回路は、基準電圧と選択された検出電圧との差を小さくする。【選択図】図１
2010198570.tif 000002
【特許請求の範囲】
【請求項１】
所定の基準電圧を発生する基準電圧発生回路と、
前記基準電圧に基づいて出力電圧を生成するオペアンプ回路と、
少なくとも２つの第１端子を有し、制御部からの制御信号に基づいて制御され、前記第１端子のうちいずれか１つを選択し、選択された前記第１端子を介して通過した前記出力電圧を表す通過出力電圧を生成する選択回路と、
前記通過出力電圧を受け、負荷回路へ出力可能な第２端子と、
前記通過出力電圧の大きさを検出し、検出電圧を生成する検出回路と、を有し、
前記選択回路は、前記制御信号に基づいて制御され、少なくとも２系統の前記検出電圧のうち、生成される前記通過出力電圧に対応する電圧を選択し、選択された前記検出電圧を表す選択検出電圧を生成し、
前記オペアンプ回路は、前記基準電圧と前記選択検出電圧との差を小さくする、電圧供給回路。
【請求項２】
前記第２端子は、前記通過出力電圧のうち所定の１系統を受けない、請求項１に記載の電圧供給回路。
【請求項３】
前記検出回路は、前記所定の通過出力電圧を前記検出電圧とする、請求項２に記載の電圧供給回路。
【請求項４】
前記検出回路は、前記通過出力電圧を分圧することにより検出する、請求項１に記載の電圧供給回路。
【請求項５】
前記検出回路は、前記第１端子と接地端子との間に、互いに直列に接続される２つの抵抗を含み、前記２つの抵抗の接続点における電圧を検出する、請求項４に記載の電圧供給回路。
【請求項６】
さらに、前記通過出力電圧を高インピーダンスで受け、低インピーダンスで出力するバッファ回路を有し、
前記出力端子は、前記通過出力電圧を、前記バッファ回路を介して受ける、請求項１に記載の電圧供給回路。
【請求項７】
前記検出回路は、前記バッファ回路を介して受けた前記通過出力電圧の大きさを検出する、請求項６に記載の電圧供給回路。
【請求項８】
前記バッファ回路は、トランジスタを含み、
前記トランジスタは、前記通過出力電圧を制御端子に受け、ソース端子またはエミッタ端子のいずれか一方から出力する、請求項６に記載の電圧供給回路。
【発明の詳細な説明】
【技術分野】
【０００１】
本発明は、各種電子機器内の電子回路ブロックへ、所定の直流電圧を供給する電圧供給回路に関する。
【背景技術】
【０００２】
近年、携帯電話に代表される携帯機器の多機能化に伴い、各電子回路ブロック（以後、負荷回路と称する）に異なる電源電圧及び異なる基準電圧を供給する必要性が増してきた。このためには、電圧供給回路は、複数の電源回路を必要とする。
【０００３】
このような電圧供給回路の従来例として、例えば特許文献１に開示されているものがある。図７は、この従来例の電圧供給回路の回路図である。図７において、従来例の電圧供給回路は、オペアンプ回路２１ｐ、２２ｐ、２３ｐと、第１定電流回路２４ｐ、第２定電流回路２５ｐ、及び第３定電流回路２６ｐと、基準電圧発生回路２０ｐと、から構成されている。オペアンプ回路２１ｐ〜２３ｐは、それぞれ電圧Ｖｏ１ｐ、Ｖｏ２ｐ、Ｖｏ３ｐを生成する。オペアンプ回路２１ｐ〜２３ｐは、それぞれ出力端子１１ｐ、１２ｐ、１３ｐから負荷回路に電源供給を行う。第１定電流回路２４ｐ、第２定電流回路２５ｐ、及び第３定電流回路２６ｐは、これら各オペアンプ回路に動作用の定電流を流す。基準電圧発生回路２０ｐは、各オペアンプ回路に基準電圧Ｖｒｅｆｐを供給する。上述した各回路には電源端子１ｐから電源電圧Ｖｃｃｐが供給されている。
【０００４】
オペアンプ回路２１ｐ〜２３ｐ及び第２定電流回路２５ｐは、電源電圧Ｖｃｃｐが供給されているときに動作可能である。一方、第１定電流回路２４ｐ及び第３定電流回路２６ｐは、グランドライン側にカット端子Ｔｃ１ｐ、Ｔｃ３ｐが接続され、このカット端子が接地されるか否かによって、各定電流回路２４ｐ、２６ｐの動作または非動作を設定できるようにされている。基準電圧発生回路２０ｐは、第２定電流回路２５ｐにより定電流が流され、その定電流から基準電圧Ｖｒｅｆｐを生成するよう構成される。基準電圧Ｖｒｅｆｐは、各オペアンプ回路２１ｐ〜２３ｐの非反転入力端子に入力される。各オペアンプ回路２１ｐ〜２３ｐの出力端子と反転入力端子との間に、帰還用の抵抗４２ｐ、４４ｐ、４６ｐが接続され、各オペアンプ回路２１ｐ〜２３ｐの反転入力端子とグランドとの間に、接地用の抵抗４３ｐ、４５ｐ、４７ｐが接続される。各オペアンプ回路２１ｐ〜２３ｐは、その基準電圧Ｖｒｅｆｐから、帰還用の抵抗４２ｐ、４４ｐ、４６ｐ、及び接地用の抵抗４３ｐ、４５ｐ、４７ｐにより、下記のように決定される直流定電圧Ｖｏ１ｐ、Ｖｏ２ｐ、Ｖｏ３ｐを生成する。尚、抵抗４２ｐ、４３ｐ、４４ｐ、４５ｐ、４６ｐ、４７ｐの抵抗値を、それぞれＲ２ｐ、Ｒ３ｐ、Ｒ４ｐ、Ｒ５ｐ、Ｒ６ｐ、Ｒ７ｐとする。
Ｖｏ１ｐ＝Ｖｒｅｆｐ×（Ｒ２ｐ＋Ｒ３ｐ）／Ｒ３ｐ
Ｖｏ２ｐ＝Ｖｒｅｆｐ×（Ｒ４ｐ＋Ｒ５ｐ）／Ｒ５ｐ
Ｖｏ３ｐ＝Ｖｒｅｆｐ×（Ｒ６ｐ＋Ｒ７ｐ）／Ｒ７ｐ
【０００５】
オペアンプ回路２１ｐは、第１定電流回路２４ｐからの電流供給が断たれると、その電圧出力は停止されるように構成されている。オペアンプ回路２３ｐも同様に、第３定電流回路２６ｐからの電流供給が断たれると、その電圧出力は停止されるように構成されている。すなわち、直流定電圧Ｖｏ１ｐ、Ｖｏ３ｐは、それぞれカット端子Ｔｃ１ｐ、Ｔｃ３ｐを接地するか開放するかによって、出力されるか否かを切り換えることができる。したがって、各出力端子１１ｐ、１３ｐからの電圧出力を停止させた際に、その電源電圧を生成するための回路に不要な電流が流れることによる消費電力の増加はなく、効率よく動作することができるとしている。
【特許文献１】特開平１１−６５６８５号公報
【発明の開示】
【発明が解決しようとする課題】
【０００６】
しかしながら、上述した従来例の電圧供給回路では、電源出力停止時にオペアンプ回路への電流供給を断つため、次に電源出力を供給する際の立ち上がりに、ある程度の時間を要するという問題点があった。さらに、同時に２つ以上の負荷回路への電圧供給を必要としない場合には、オペアンプ回路を複数個含む構成は、回路の使用効率が低く、回路を大型化するという問題点があった。
【０００７】
本発明は、上述した従来の課題を解決するもので、同時に２つ以上の負荷回路への電圧供給を必要としない場合に、回路の小型化が可能で、電圧出力の高速な立ち上げが可能な電圧供給回路の提供を目的とする。
【課題を解決するための手段】
【０００８】
上述した目的を達成するため、本発明に係る電圧供給回路は、所定の基準電圧を発生する基準電圧発生回路と、前記基準電圧に基づいて出力電圧を生成するオペアンプ回路と、少なくとも２つの第１端子を有し、制御部からの制御信号に基づいて制御され、前記第１端子のうちいずれか１つを選択し、選択された前記第１端子を介して通過した前記出力電圧を表す通過出力電圧を生成する選択回路と、前記通過出力電圧を受け、負荷回路へ出力可能な第２端子と、前記通過出力電圧の大きさを検出し、検出電圧を生成する検出回路と、を有し、前記選択回路は、前記制御信号に基づいて制御され、少なくとも２系統の前記検出電圧のうち、前記通過出力電圧に対応する電圧を選択し、選択された前記検出電圧を表す選択検出電圧を生成し、前記オペアンプ回路は、前記基準電圧と前記選択検出電圧との差を小さくする。
【発明の効果】
【０００９】
本発明に係る電圧供給回路によれば、２つ以上の負荷回路にそれぞれ異なる電圧を同時に１系統だけ供給する場合に、選択回路を用いることにより、１個のオペアンプ回路だけで構成することができる。これにより、回路規模を縮小し、消費電力及びコストを低減することができる。さらに、供給停止状態帰還経路を設けてオペアンプ回路を常に動作状態にすることにより、続いて負荷回路へ電圧を供給開始する場合に、供給電圧を高速に立ち上げることができる。
【発明を実施するための最良の形態】
【００１０】
以下、本発明を実施するための最良の形態に関するいくつかの例について、図面を参照しながら説明する。図面において、実質的に同一の構成、動作、及び効果を表す要素については、同一の符号を付す。また、以下において記述される数字は、すべて本発明を具体的に説明するために例示するものであり、本発明は例示された数字に制限されない。さらに、ハイ／ローにより表される論理レベルまたはオン／オフにより表されるスイッチング状態は、本発明を具体的に説明するために例示するものであり、例示された論理レベルまたはスイッチング状態の異なる組み合わせにより、同等な結果を得ることも可能である。また、構成要素間の接続関係は、本発明を具体的に説明するために例示するものであり、本発明の機能を実現する接続関係はこれに限定されない。さらに、以下の実施形態は、ハードウェア及び／またはソフトウェアを用いて構成されるが、ハードウェアを用いる構成は、ソフトウェアを用いても構成可能であり、ソフトウェアを用いる構成は、ハードウェアを用いても構成可能である。
【００１１】
（第１の実施形態）
図１は、本発明の第１の実施形態に係る電圧供給回路の回路図である。バッテリーなどの直流電圧源７は、入力直流電圧Ｖｃｃを、電圧供給回路６の入力端子１を介して電圧供給回路６に供給する。制御部８は、電圧供給回路６を制御する制御信号Ｖ３０を生成する。電圧供給回路６は、制御信号Ｖ３０に基づいて入力直流電圧Ｖｃｃを電圧Ｖｏ１、Ｖｏ２、Ｖｏ３に変換し、電圧供給回路６の出力端子Ｐｏ１、Ｐｏ２、Ｐｏ３からそれぞれ出力する。負荷回路Ｌ１、Ｌ２、Ｌ３は、出力された電圧Ｖｏ１〜Ｖｏ３をそれぞれ受け、所望の機能を実行する。電圧供給回路６には、供給状態及び供給停止状態の２つの状態がある。電圧供給回路６は、供給状態において、入力直流電圧Ｖｃｃを受け、負荷回路Ｌ１〜Ｌ３のいずれか１つに電圧を供給する。電圧供給回路６は、供給停止状態において、入力直流電圧Ｖｃｃを受けるが、負荷回路Ｌ１〜Ｌ３のいずれにも電圧を供給しない。
【００１２】
電圧供給回路６は、基準電圧発生回路２０、オペアンプ回路２、選択回路３、各出力端子Ｐｏ１〜Ｐｏ３、及び検出回路４を含む。基準電圧発生回路２０は、入力直流電圧Ｖｃｃを電源電圧として動作し、所定の基準電圧Ｖｒｅｆを発生する。オペアンプ回路２は、入力直流電圧Ｖｃｃを電源電圧として動作し、非反転入力端子に基準電圧Ｖｒｅｆを受け、基準電圧Ｖｒｅｆに基づいて、選択回路３の入力端子Ｐｏ（後述）に出力電圧Ｖｏを生成する。
【００１３】
選択回路３は、入力端子Ｐｏ及び出力端子Ｐｇ０、Ｐｇ１、Ｐｇ２、Ｐｇ３を有する。選択回路３は、制御端子３０を介して制御信号Ｖ３０を受け、制御信号Ｖ３０に基づいて、出力端子Ｐｇ０〜Ｐｇ３のうちいずれか１つを選択する。さらに、選択回路３は、出力端子Ｐｇ０〜Ｐｇ３のうち選択された出力端子を介して出力電圧Ｖｏを通過させ、通過した出力電圧Ｖｏを表す通過出力電圧Ｖｇ０、Ｖｇ１、Ｖｇ２、Ｖｇ３を生成する。
【００１４】
検出回路４は、抵抗値Ｒ４０、Ｒ４１、Ｒ４２、Ｒ４３、Ｒ４４、Ｒ４５、Ｒ４６、Ｒ４７をそれぞれ有する抵抗４０、４１、４２、４３、４４、４５、４６、４７を含む。選択回路３の出力端子Ｐｇ０は、ダミー出力端子Ｐｏ０に接続されるとともに抵抗４０の一端に接続され、抵抗４０の他端は抵抗４１の一端及び選択回路３の入力端子Ｐｆ０に接続され、抵抗４１の他端は接地される。選択回路３の出力端子Ｐｇ１は、電圧供給回路６の出力端子Ｐｏ１に接続されるとともに抵抗４２の一端に接続され、抵抗４２の他端は抵抗４３の一端及び選択回路３の入力端子Ｐｆ１に接続され、抵抗４３の他端は接地される。同様に、選択回路３の出力端子Ｐｇ２は、電圧供給回路６の出力端子Ｐｏ２に接続されるとともに抵抗４４の一端に接続され、抵抗４４の他端は抵抗４５の一端及び選択回路３の入力端子Ｐｆ２に接続され、抵抗４５の他端は接地される。同様に、選択回路３の出力端子Ｐｇ３は、電圧供給回路６の出力端子Ｐｏ３に接続されるとともに抵抗４６の一端に接続され、抵抗４６の他端は抵抗４７の一端及び選択回路３の入力端子Ｐｆ３に接続され、抵抗４７の他端は接地される。出力端子Ｐｏ１〜Ｐｏ３はそれぞれ負荷回路Ｌ１〜Ｌ３へ接続可能であり、一方、ダミー出力端子Ｐｏ０は負荷回路Ｌ１〜Ｌ３のいずれにも接続することができない。
【００１５】
出力端子Ｐｏ１は、通過出力電圧Ｖｇ１を受け、通過出力電圧Ｖｇ１に大略等しい通過出力電圧Ｖｏ１を負荷回路Ｌ１へ出力することができる。出力端子Ｐｏ２は、通過出力電圧Ｖｇ２を受け、通過出力電圧Ｖｇ２に大略等しい通過出力電圧Ｖｏ２を負荷回路Ｌ２へ出力することができる。出力端子Ｐｏ３は、通過出力電圧Ｖｇ３を受け、通過出力電圧Ｖｇ３に大略等しい通過出力電圧Ｖｏ３を負荷回路Ｌ３へ出力することができる。出力端子Ｐｏ１〜Ｐｏ３は、いずれも通過出力電圧Ｖｇ０を受けない。
【００１６】
検出回路４は、通過出力電圧Ｖｏ０、Ｖｏ１、Ｖｏ２、Ｖｏ３の大きさを検出し、それぞれ検出電圧Ｖｆ０、Ｖｆ１、Ｖｆ２、Ｖｆ３を生成する。さらに詳しくは、検出回路４は、通過出力電圧Ｖｏ０を、Ｒ４１／（Ｒ４０＋Ｒ４１）に分圧することにより、入力端子Ｐｆ０に検出電圧Ｖｆ０を生成する。同様に、検出回路４は、通過出力電圧Ｖｏ１を、Ｒ４３／（Ｒ４２＋Ｒ４３）に分圧することにより、入力端子Ｐｆ１に検出電圧Ｖｆ１を生成する。同様に、検出回路４は、通過出力電圧Ｖｏ２を、Ｒ４５／（Ｒ４４＋Ｒ４５）に分圧することにより、入力端子Ｐｆ２に検出電圧Ｖｆ２を生成する。同様に、検出回路４は、通過出力電圧Ｖｏ３を、Ｒ４７／（Ｒ４６＋Ｒ４７）に分圧することにより、入力端子Ｐｆ３に検出電圧Ｖｆ３を生成する。以上により、式１、式２、式３、及び式４が成り立つ。
Ｖｆ０＝Ｖｏ０×Ｒ４１／（Ｒ４０＋Ｒ４１）                          （１）
Ｖｆ１＝Ｖｏ１×Ｒ４３／（Ｒ４２＋Ｒ４３）                          （２）
Ｖｆ２＝Ｖｏ２×Ｒ４５／（Ｒ４４＋Ｒ４５）                          （３）
Ｖｆ３＝Ｖｏ３×Ｒ４７／（Ｒ４６＋Ｒ４７）                          （４）
【００１７】
選択回路３は、制御信号Ｖ３０に基づいて、検出電圧Ｖｆ０〜Ｖｆ３のうち、生成される通過出力電圧Ｖｇ０〜Ｖｇ３に対応する電圧を選択し、選択回路３の出力端子Ｐｆにおいて、選択された検出電圧を表す選択検出電圧Ｖｆを生成する。さらに詳しくは、出力端子Ｐｇ０が選択され、通過出力電圧Ｖｇ０が生成される場合、選択回路３は検出電圧Ｖｆ０を選択する。同様に、出力端子Ｐｇ１が選択され、通過出力電圧Ｖｇ１が生成される場合、選択回路３は検出電圧Ｖｆ１を選択する。同様に、出力端子Ｐｇ２が選択され、通過出力電圧Ｖｇ２が生成される場合、選択回路３は検出電圧Ｖｆ２を選択する。同様に、出力端子Ｐｇ３が選択され、通過出力電圧Ｖｇ３が生成される場合、選択回路３は検出電圧Ｖｆ３を選択する。
【００１８】
オペアンプ回路２は、反転入力端子に選択検出電圧Ｖｆを受け、基準電圧Ｖｒｅｆと選択検出電圧Ｖｆとの差を小さくするように出力電圧Ｖｏを生成する。さらに詳しくは、選択検出電圧Ｖｆが基準電圧Ｖｒｅｆと比較して低い場合、出力電圧Ｖｏが上昇することにより選択検出電圧Ｖｆが上昇するため、基準電圧Ｖｒｅｆと選択検出電圧Ｖｆとの差は小さくなる。反対に、選択検出電圧Ｖｆが基準電圧Ｖｒｅｆと比較して高い場合、出力電圧Ｖｏが下降することにより選択検出電圧Ｖｆが下降するため、基準電圧Ｖｒｅｆと選択検出電圧Ｖｆとの差は小さくなる。
【００１９】
オペアンプ回路２は、基準電圧Ｖｒｅｆから選択検出電圧Ｖｆを差し引いた誤差電圧に対して単調増加する電圧であって、ゼロの誤差電圧に対して所定の電圧となる、誤差増幅電圧を生成する誤差増幅回路の機能を有する。オペアンプ回路２は、さらに、誤差増幅電圧を電流増幅し、出力電圧Ｖｏを生成する電流増幅回路の機能を有する。換言すれば、オペアンプ回路２は、さらに、誤差増幅電圧を電力増幅し、出力電圧Ｖｏを生成する電力増幅回路の機能を有する。
【００２０】
図２Ａは、選択回路３の詳細な回路図である。選択回路３は、出力選択回路３Ａ、入力選択回路３Ｂ、及び選択制御回路３Ｃを含む。選択制御回路３Ｃは、制御端子３０を介して制御信号Ｖ３０を受け、制御信号Ｖ３０に基づいて、出力選択回路３Ａ及び入力選択回路３Ｂを制御する。出力選択回路３Ａは、出力端子Ｐｇ０〜Ｐｇ３のうちいずれか１つを選択し、選択された出力端子を介して出力電圧Ｖｏを通過させ、通過出力電圧Ｖｇ０〜Ｖｇ３を生成する。入力選択回路３Ｂは、入力端子Ｐｆ０、Ｐｆ１、Ｐｆ２、Ｐｆ３におけるそれぞれの検出電圧Ｖｆ０〜Ｖｆ３のうち、生成される通過出力電圧Ｖｇ０〜Ｖｇ３に対応する電圧を選択し、選択回路３の出力端子Ｐｆにおいて、選択検出電圧Ｖｆを生成する。
【００２１】
選択制御回路３Ｃは、インバータ３００、ＮＯＲ回路３１０、ＮＡＮＤ回路３１１、ＮＯＲ回路３１２、ＮＡＮＤ回路３１３、及びインバータ３２０、３２１、３２２、３２３を含む。制御端子３０における制御信号Ｖ３０は、端子３１における制御信号Ｖ３１及び端子３２における制御信号Ｖ３２を含む。インバータ３００は、制御信号Ｖ３１を反転した反転制御信号Ｖ３００を生成する。ＮＯＲ回路３１０は、制御信号Ｖ３１と制御信号Ｖ３２との否定論理和を表すゲート信号Ｇｆ０を生成する。ＮＡＮＤ回路３１１は、制御信号Ｖ３２と反転制御信号Ｖ３００との否定論理積を表すゲート信号Ｇｏ１を生成する。ＮＯＲ回路３１２は、反転制御信号Ｖ３００と制御信号Ｖ３２との否定論理和を表すゲート信号Ｇｆ２を生成する。ＮＡＮＤ回路３１３は、制御信号Ｖ３１と制御信号Ｖ３２との否定論理積を表すゲート信号Ｇｏ３を生成する。インバータ３２０は、ゲート信号Ｖｆ０の否定を表すゲート信号Ｖ３ｏ０を生成する。インバータ３２１は、ゲート信号Ｇｏ１の否定を表すゲート信号Ｇｆ１を生成する。インバータ３２２は、ゲート信号Ｇｆ２の否定を表すゲート信号Ｇｏ２を生成する。インバータ３２３は、ゲート信号Ｇｏ３の否定を表すゲート信号Ｇｆ３を生成する。
【００２２】
図２Ｂは、選択回路３の選択関係を示す関係図である。制御信号Ｖ３０が０〜３と変化すると、制御信号Ｖ３１及び制御信号Ｖ３２は、図２Ｂに示すように制御信号Ｖ３０を２進数に符号化した値となる。制御信号Ｖ３０が０の場合、出力選択回路３Ａではゲート信号Ｇｏ０（下線で示す）だけがローレベルとなり、入力選択回路３Ｂではゲート信号Ｇｆ０（下線で示す）だけがハイレベルとなる。制御信号Ｖ３０が１の場合、出力選択回路３Ａではゲート信号Ｇｏ１だけがローレベルとなり、入力選択回路３Ｂではゲート信号Ｇｆ１だけがハイレベルとなる。制御信号Ｖ３０が２の場合、出力選択回路３Ａではゲート信号Ｇｏ２だけがローレベルとなり、入力選択回路３Ｂではゲート信号Ｇｆ２だけがハイレベルとなる。制御信号Ｖ３０が３の場合、出力選択回路３Ａではゲート信号Ｇｏ３だけがローレベルとなり、入力選択回路３Ｂではゲート信号Ｇｆ３だけがハイレベルとなる。
【００２３】
出力選択回路３Ａは、ＰチャンネルＭＯＳ（Ｍｅｔａｌ  Ｏｘｉｄｅ  Ｓｅｍｉｃｏｎｄｕｃｔｏｒ：金属酸化膜半導体）トランジスタ３３０、ＰチャンネルＭＯＳトランジスタ３３１、ＰチャンネルＭＯＳトランジス３３２、及びＰチャンネルＭＯＳトランジス３３３を含む。ＰチャンネルＭＯＳトランジスタ３３０、３３１、３３２、３３３は、ソース端子がすべて入力端子Ｐｏに接続され、ドレイン端子がそれぞれ出力端子Ｐｇ０〜Ｐｇ３に接続される。ＰチャンネルＭＯＳトランジスタ３３０〜３３３のゲート端子は、それぞれゲート信号Ｇｏ０、Ｇｏ１、Ｇｏ２、Ｇｏ３によって制御される。
【００２４】
制御信号Ｖ３０が０の場合、ＰチャンネルＭＯＳトランジスタ３３０だけがオンされる。このとき、ＰチャンネルＭＯＳトランジスタ３３０は、入力端子Ｐｏにおける出力電圧Ｖｏを通過させ、選択された出力端子Ｐｇ０に通過出力電圧Ｖｇ０を生成する。制御信号Ｖ３０が１の場合、ＰチャンネルＭＯＳトランジスタ３３１だけがオンされる。このとき、ＰチャンネルＭＯＳトランジスタ３３１は、入力端子Ｐｏにおける出力電圧Ｖｏを通過させ、選択された出力端子Ｐｇ１に通過出力電圧Ｖｇ１を生成する。制御信号Ｖ３０が２の場合、ＰチャンネルＭＯＳトランジスタ３３２だけがオンされる。このとき、ＰチャンネルＭＯＳトランジスタ３３２は、入力端子Ｐｏにおける出力電圧Ｖｏを通過させ、選択された出力端子Ｐｇ２に通過出力電圧Ｖｇ２を生成する。制御信号Ｖ３０が３の場合、ＰチャンネルＭＯＳトランジスタ３３３だけがオンされる。このとき、ＰチャンネルＭＯＳトランジスタ３３３は、入力端子Ｐｏにおける出力電圧Ｖｏを通過させ、選択された出力端子Ｐｇ３に通過出力電圧Ｖｇ３を生成する。
【００２５】
入力選択回路３Ｂは、ＮチャンネルＭＯＳトランジスタ３４０、ＮチャンネルＭＯＳトランジスタ３４１、ＮチャンネルＭＯＳトランジスタ３４２、及びＮチャンネルＭＯＳトランジスタ３４３を含む。ＮチャンネルＭＯＳトランジスタ３４０、３４１、３４２、３４３は、ソース端子がそれぞれ入力端子Ｐｆ０〜Ｐｆ３に接続され、ドレイン端子がすべて出力端子Ｐｆに接続される。ＮチャンネルＭＯＳトランジスタ３４０〜３４３のゲート端子は、それぞれゲート信号Ｇｆ０、Ｇｆ１、Ｇｆ２、Ｇｆ３によって制御される。
【００２６】
制御信号Ｖ３０が０の場合、ＮチャンネルＭＯＳトランジスタ３４０だけがオンされる。このとき、ＮチャンネルＭＯＳトランジスタ３４０は、入力端子Ｐｆ０における検出電圧Ｖｆ０を通過させ、出力端子Ｐｆに選択検出電圧Ｖｆを生成する。制御信号Ｖ３０が１の場合、ＮチャンネルＭＯＳトランジスタ３４１だけがオンされる。このとき、ＮチャンネルＭＯＳトランジスタ３４１は、入力端子Ｐｆ１における検出電圧Ｖｆ１を通過させ、出力端子Ｐｆに選択検出電圧Ｖｆを生成する。制御信号Ｖ３０が２の場合、ＮチャンネルＭＯＳトランジスタ３４２だけがオンされる。このとき、ＮチャンネルＭＯＳトランジスタ３４２は、入力端子Ｐｆ２における検出電圧Ｖｆ２を通過させ、出力端子Ｐｆに選択検出電圧Ｖｆを生成する。制御信号Ｖ３０が３の場合、ＮチャンネルＭＯＳトランジスタ３４３だけがオンされる。このとき、ＮチャンネルＭＯＳトランジスタ３４３は、入力端子Ｐｆ３における検出電圧Ｖｆ３を通過させ、出力端子Ｐｆに選択検出電圧Ｖｆを生成する。
【００２７】
ここで図１に戻ると、各検出電圧Ｖｆ０〜Ｖｆ３は、選択回路３において選択される場合、選択検出電圧Ｖｆに等しくなる。選択検出電圧Ｖｆは、オペアンプ回路２において、基準電圧Ｖｒｅｆと大略等しくなるように動作する。したがって式１〜４は、それぞれ式５、式６、式７、及び式８のように変換することができる。すなわち、各選択出力電圧Ｖｏ０〜Ｖｏ３は、選択回路３において選択される場合、それぞれ式５〜８のように表される。式５〜８における選択出力電圧Ｖｏ０〜Ｖｏ３の大きさは、いずれも基準電圧Ｖｒｅｆ以上であり、しかも互いに異なるようにすることができる。
Ｖｏ０＝Ｖｒｅｆ×（Ｒ４０＋Ｒ４１）／Ｒ４１                        （５）
Ｖｏ１＝Ｖｒｅｆ×（Ｒ４２＋Ｒ４３）／Ｒ４３                        （６）
Ｖｏ２＝Ｖｒｅｆ×（Ｒ４４＋Ｒ４５）／Ｒ４５                        （７）
Ｖｏ３＝Ｖｒｅｆ×（Ｒ４６＋Ｒ４７）／Ｒ４７                        （８）
【００２８】
選択出力電圧Ｖｏ０は、選択回路３において出力端子Ｐｇ０が選択されない場合、各抵抗４１、４２に電流が流れないので、ゼロ電位（すなわち、接地電位）となる。同様に、選択出力電圧Ｖｏ１〜Ｖｏ３は、選択回路３においてそれぞれ出力端子Ｐｇ１〜Ｐｇ３が選択されない場合、ゼロ電位となる。
【００２９】
上述したように、オペアンプ回路２は、誤差増幅回路及び電流増幅回路の両方の機能を有する。電圧供給回路６は、この１つのオペアンプ回路２を用いて、出力端子Ｐｏ０〜Ｐｏ３にそれぞれ選択出力電圧Ｖｏ０〜Ｖｏ３を生成する、４つ副電圧供給回路を構成する。すなわち、選択出力電圧Ｖｏ０〜Ｖｏ３を生成する４つの副電圧供給回路は、１つのオペアンプ回路２を、誤差増幅回路及び電流増幅回路の機能を有する回路として共有している。このうち、選択出力電圧Ｖｏ１〜Ｖｏ３を生成する副電圧供給回路は、それぞれ負荷回路Ｌ１〜Ｌ３へ電圧を供給することができる。選択出力電圧Ｖｏ０を生成する副電圧供給回路は供給停止状態副電圧供給回路とも呼ばれ、選択出力電圧Ｖｏ１〜Ｖｏ３を生成する副電圧供給回路は供給状態副電圧供給回路とも呼ばれる。
【００３０】
電圧供給回路６が供給停止状態の場合、選択回路３は、出力端子Ｐｇ０及び入力端子Ｐｆ０を選択し、ダミー出力端子Ｐｏ０において式５に示すような選択出力電圧Ｖｏ０を生成する。電圧供給回路６の供給停止状態において、入力端子Ｐｏ、出力端子Ｐｇ０、ダミー出力端子Ｐｏ０、抵抗４０、入力端子Ｐｆ０、出力端子Ｐｆ、及びオペアンプ回路２の反転入力端子を経由する経路は、供給停止状態帰還経路と呼ばれる。このように、電圧供給回路６が供給停止状態であっても、オペアンプ回路２は、供給停止状態帰還経路を用いて定常的な動作状態にある。また、選択出力電圧Ｖｏ１〜Ｖｏ３はゼロ電位となる。次に、電圧供給回路６が供給状態の場合、負荷回路Ｌ１〜Ｌ３のうちいずれか１つ、例えば負荷回路Ｌ２を動作させるために、選択回路３が出力端子Ｐｇ２及び入力端子Ｐｆ２を選択すると、選択検出電圧Ｖｆは、基準電圧Ｖｒｅｆからゼロ電位へ変化する。この時点において、反転入力端子における選択検出電圧Ｖｆと非反転入力端子における基準電圧Ｖｒｅｆとの差は、充分に大きい。このため、電圧供給回路６は、常に動作状態にあるオペアンプ回路２により、選択検出電圧Ｖｆを基準電圧Ｖｒｅｆに急速に近づけるように、選択出力電圧Ｖｏ２を高速に立ち上げることができる。すなわち、電圧供給回路６は、選択回路３を用いて供給停止状態副電圧供給回路から供給状態副電圧供給回路へ切り換えることにより、各選択出力電圧Ｖｏ０〜Ｖｏ３を高速に立ち上げることができる。
【００３１】
このように、第１の実施形態の電圧供給回路６によれば、２つ以上の負荷回路Ｌ１〜Ｌ３にそれぞれ異なる電圧を同時に１系統だけ供給する場合に、選択回路３を用いることにより、１個のオペアンプ回路２だけで構成することができる。これにより、回路規模を縮小し、消費電力及びコストを低減することができる。さらに、供給停止状態帰還経路を設けてオペアンプ回路２を常に動作状態にすることにより、続いて負荷回路Ｌ１〜Ｌ３へ電圧を供給開始する場合に、供給電圧を高速に立ち上げることができる。
【００３２】
（第２の実施形態）
図３は、電圧供給回路６ａの回路図である。第２の実施形態における電圧供給回路６ａが第１の実施形態における電圧供給回路６（図１）と異なる点は、バッファ回路５をさらに含んでいる点、オペアンプ回路２ａがオペアンプ回路２から変更されている点、及び選択回路３ａが選択回路３から変更されている点である。電圧供給回路６ａにおけるその他の構成、動作、及び効果は、電圧供給回路６と同等であるので、説明を省略する。
【００３３】
バッファ回路５は、ＮチャンネルＭＯＳトランジスタ５０、ＮチャンネルＭＯＳトランジスタ５１、ＮチャンネルＭＯＳトランジスタ５２、及びＮチャンネルＭＯＳトランジスタ５３を含む。ＮチャンネルＭＯＳトランジスタ５０、５１、５２、５３は、ドレイン端子がすべて入力端子１に接続され、ゲート端子がそれぞれ出力端子Ｐｇ０〜Ｐｇ３に接続される。ＮチャンネルＭＯＳトランジスタ５０〜５３のソース端子は、それぞれダミー出力端子Ｐｏ０、出力端子Ｐｏ１、出力端子Ｐｏ２、及び出力端子Ｐｏ３に接続される。
【００３４】
バッファ回路５は、通過出力電圧Ｖｇ０〜Ｖｇ３を高インピーダンスで受け、低インピーダンスで出力し、それぞれ通過出力電圧Ｖｏ０〜Ｖｏ３を生成する。出力端子Ｐｏ１は、通過出力電圧Ｖｇ１を、ＮチャンネルＭＯＳトランジスタ５１を介して受け、通過出力電圧Ｖｇ１よりもＮチャンネルＭＯＳトランジスタ５１のゲート・ソース間電圧だけ低い通過出力電圧Ｖｏ１を、負荷回路Ｌ１へ出力することができる。同様に、出力端子Ｐｏ２は、通過出力電圧Ｖｇ２を、ＮチャンネルＭＯＳトランジスタ５２を介して受け、通過出力電圧Ｖｇ２よりもＮチャンネルＭＯＳトランジスタ５２のゲート・ソース間電圧だけ低い通過出力電圧Ｖｏ２を、負荷回路Ｌ２へ出力することができる。同様に、出力端子Ｐｏ３は、通過出力電圧Ｖｇ３を、ＮチャンネルＭＯＳトランジスタ５３を介して受け、通過出力電圧Ｖｇ３よりもＮチャンネルＭＯＳトランジスタ５３のゲート・ソース間電圧だけ低い通過出力電圧Ｖｏ３を、負荷回路Ｌ３へ出力することができる。
【００３５】
図４は、選択回路３ａの詳細な回路図である。選択回路３ａが図２Ａの選択回路３と異なる点は、出力選択回路３Ａａが出力選択回路３Ａから変更されている点である。選択回路３ａにおけるその他の構成、動作、及び効果は、選択回路３と同等であるので、説明を省略する。
【００３６】
出力選択回路３Ａａは、ＰチャンネルＭＯＳトランジスタ３６０、ＰチャンネルＭＯＳトランジスタ３６１、ＰチャンネルＭＯＳトランジス３６２、ＰチャンネルＭＯＳトランジス３６３、ＮチャンネルＭＯＳトランジスタ３５０、ＮチャンネルＭＯＳトランジスタ３５１、ＮチャンネルＭＯＳトランジス３５２、及びＮチャンネルＭＯＳトランジス３５３を含む。ＰチャンネルＭＯＳトランジスタ３６０、３６１、３６２、３６３は、ソース端子がすべて入力端子Ｐｏに接続され、ドレイン端子がそれぞれ出力端子Ｐｇ０〜Ｐｇ３に接続される。ＰチャンネルＭＯＳトランジスタ３６０〜３６３のゲート端子は、それぞれゲート信号Ｇｏ０〜Ｇｏ３によって制御される。ＮチャンネルＭＯＳトランジスタ３５０、３５１、３５２、３５３は、ソース端子がすべて接地端子に接続され、ドレイン端子がそれぞれ出力端子Ｐｇ０〜Ｐｇ３に接続される。ＮチャンネルＭＯＳトランジスタ３５０〜３５３のゲート端子は、それぞれゲート信号Ｇｏ０〜Ｇｏ３によって制御される。
【００３７】
制御信号Ｖ３０が０の場合、ＰチャンネルＭＯＳトランジスタ３６０〜３６３のうちＰチャンネルＭＯＳトランジスタ３６０だけがオンされ、一方、残りはオフされる。さらに、制御信号Ｖ３０が０の場合、ＮチャンネルＭＯＳトランジスタ３５０〜３５３のうちＮチャンネルＭＯＳトランジスタ３５０だけがオフされ、一方、残りはオンされる。このとき、ＰチャンネルＭＯＳトランジスタ３６０は、入力端子Ｐｏにおける出力電圧Ｖｏを通過させ、選択された出力端子Ｐｇ０に通過出力電圧Ｖｇ０を生成し、ＮチャンネルＭＯＳトランジスタ３５１、３５２、３５３は、それぞれ通過出力電圧Ｖｇ１、Ｖｇ２、Ｖｇ３をゼロ電位にする。
【００３８】
同様に、制御信号Ｖ３０が１の場合、ＰチャンネルＭＯＳトランジスタ３６０〜３６３のうちＰチャンネルＭＯＳトランジスタ３６１だけがオンされ、一方、残りはオフされる。さらに、制御信号Ｖ３０が１の場合、ＮチャンネルＭＯＳトランジスタ３５０〜３５３のうちＮチャンネルＭＯＳトランジスタ３５１だけがオフされ、一方、残りはオンされる。このとき、ＰチャンネルＭＯＳトランジスタ３６１は、入力端子Ｐｏにおける出力電圧Ｖｏを通過させ、選択された出力端子Ｐｇ１に通過出力電圧Ｖｇ１を生成し、ＮチャンネルＭＯＳトランジスタ３５０、３５２、３５３は、それぞれ通過出力電圧Ｖｇ０、Ｖｇ２、Ｖｇ３をゼロ電位にする。
【００３９】
同様に、制御信号Ｖ３０が２の場合、ＰチャンネルＭＯＳトランジスタ３６０〜３６３のうちＰチャンネルＭＯＳトランジスタ３６２だけがオンされ、一方、残りはオフされる。さらに、制御信号Ｖ３０が２の場合、ＮチャンネルＭＯＳトランジスタ３５０〜３５３のうちＮチャンネルＭＯＳトランジスタ３５２だけがオフされ、一方、残りはオンされる。このとき、ＰチャンネルＭＯＳトランジスタ３６２は、入力端子Ｐｏにおける出力電圧Ｖｏを通過させ、選択された出力端子Ｐｇ２に通過出力電圧Ｖｇ２を生成し、ＮチャンネルＭＯＳトランジスタ３５０、３５１、３５３は、それぞれ通過出力電圧Ｖｇ０、Ｖｇ１、Ｖｇ３をゼロ電位にする。
【００４０】
同様に、制御信号Ｖ３０が３の場合、ＰチャンネルＭＯＳトランジスタ３６０〜３６３のうちＰチャンネルＭＯＳトランジスタ３６３だけがオンされ、一方、残りはオフされる。さらに、制御信号Ｖ３０が３の場合、ＮチャンネルＭＯＳトランジスタ３５０〜３５３のうちＮチャンネルＭＯＳトランジスタ３５３だけがオフされ、一方、残りはオンされる。このとき、ＰチャンネルＭＯＳトランジスタ３６３は、入力端子Ｐｏにおける出力電圧Ｖｏを通過させ、選択された出力端子Ｐｇ３に通過出力電圧Ｖｇ３を生成し、ＮチャンネルＭＯＳトランジスタ３５０、３５１、３５２は、それぞれ通過出力電圧Ｖｇ０、Ｖｇ１、Ｖｇ２をゼロ電位にする。
【００４１】
上述したように、選択回路３ａは、出力端子Ｐｇ０〜Ｐｇ３を選択しない場合、それぞれ通過出力電圧Ｖｇ０〜Ｖｇ３をゼロ電位にする。ＮチャンネルＭＯＳトランジスタ５０〜５３は、それぞれ通過出力電圧Ｖｇ０〜Ｖｇ３がゼロ電位の場合、オフされる。したがって、選択出力電圧Ｖｏ０〜Ｖｏ３は、それぞれＮチャンネルＭＯＳトランジスタ５０〜５３がオフされる場合、ゼロ電位となる。
【００４２】
オペアンプ回路２ａは、基準電圧Ｖｒｅｆから選択検出電圧Ｖｆを差し引いた誤差電圧に対して単調増加する電圧であって、ゼロの誤差電圧に対して所定の電圧となる、出力電圧Ｖｏを生成する誤差増幅回路の機能を有する。バッファ回路５は、選択出力電圧Ｖｇ０〜Ｖｇ３を電流増幅し、それぞれ選択出力電圧Ｖｏ０〜Ｖｏ３を生成する電流増幅回路の機能を有する。換言すれば、バッファ回路５は、選択出力電圧Ｖｇ０〜Ｖｇ３を電力増幅し、それぞれ選択出力電圧Ｖｏ０〜Ｖｏ３を生成する電力増幅回路の機能を有する。
【００４３】
電圧供給回路６ａは、この１つのオペアンプ回路２ａ及びバッファ回路５を用いて、出力端子Ｐｏ０〜Ｐｏ３にそれぞれ選択出力電圧Ｖｏ０〜Ｖｏ３を生成する、４つの副電圧供給回路を構成する。すなわち、選択出力電圧Ｖｏ０〜Ｖｏ３を生成する４つの副電圧供給回路は、１つのオペアンプ回路２ａを、誤差増幅回路の機能を有する回路として共有し、それぞれＮチャンネルＭＯＳトランジスタ５０〜５３を電流増幅回路としている。このうち、選択出力電圧Ｖｏ１〜Ｖｏ３を生成する副電圧供給回路は、それぞれ負荷回路Ｌ１〜Ｌ３へ電圧を供給することができる。選択出力電圧Ｖｏ０を生成する副電圧供給回路は供給停止状態副電圧供給回路とも呼ばれ、選択出力電圧Ｖｏ１〜Ｖｏ３を生成する副電圧供給回路は供給状態副電圧供給回路とも呼ばれる。
【００４４】
電圧供給回路６ａの場合、副電圧供給回路は、シリーズレギュレータになっている。すなわち、電圧供給回路６ａは、４つのシリーズレギュレータを構成する。供給停止状態副電圧供給回路は供給停止状態シリーズレギュレータとも呼ばれ、供給状態副電圧供給回路は供給状態シリーズレギュレータとも呼ばれる。
【００４５】
電圧供給回路６ａが供給停止状態の場合、選択回路３ａは、出力端子Ｐｇ０及び入力端子Ｐｆ０を選択し、ダミー出力端子Ｐｏ０において式５に示すような選択出力電圧Ｖｏ０を生成する。電圧供給回路６ａの供給停止状態において、入力端子Ｐｏ、出力端子Ｐｇ０、ＮチャンネルＭＯＳトランジスタ５０、ダミー出力端子Ｐｏ０、抵抗４０、入力端子Ｐｆ０、出力端子Ｐｆ、及びオペアンプ回路２ａの反転入力端子を経由する経路は、供給停止状態帰還経路と呼ばれる。このように、電圧供給回路６ａが供給停止状態であっても、オペアンプ回路２ａは、供給停止状態帰還経路を用いて定常的な動作状態にある。また、選択出力電圧Ｖｏ１〜Ｖｏ３はゼロ電位となる。次に、電圧供給回路６ａが供給状態の場合、負荷回路Ｌ１〜Ｌ３のうちいずれか１つ、例えば負荷回路Ｌ２を動作させるために、選択回路３ａが出力端子Ｐｇ２及び入力端子Ｐｆ２を選択すると、選択検出電圧Ｖｆは、基準電圧Ｖｒｅｆからゼロ電位へ変化する。この時点において、反転入力端子における選択検出電圧Ｖｆと非反転入力端子における基準電圧Ｖｒｅｆとの差は、充分に大きい。このため、電圧供給回路６ａは、常に動作状態にあるオペアンプ回路２ａにより、選択検出電圧Ｖｆを基準電圧Ｖｒｅｆに急速に近づけるように、選択出力電圧Ｖｏ２を高速に立ち上げることができる。すなわち、電圧供給回路６ａは、選択回路３ａを用いて供給停止状態シリーズレギュレータから供給状態シリーズレギュレータへ切り換えることにより、各選択出力電圧Ｖｏ０〜Ｖｏ３を高速に立ち上げることができる。
【００４６】
尚、バッファ回路５に含まれるＮチャンネルＭＯＳトランジスタ５０、５１、５２、５３は、ＰチャンネルＭＯＳトランジスタ、ＮＰＮバイポーラトランジスタ、またはＰＮＰバイポーラトランジスタであってもよい。この場合、オペアンプ回路２ａ及び選択回路３ａを含めて、電圧供給回路６ａは、バッファ回路５に含まれる上述したトランジスタの種類に応じて、変更されてもよい。
【００４７】
このように、第２の実施形態の電圧供給回路６ａによれば、誤差増幅回路の機能を有するオペアンプ回路２ａと、電流増幅回路の機能を有するバッファ回路５に、機能を分離することができる。これにより、第１の実施形態における電圧供給回路６の効果に加え、第１の実施形態のオペアンプ回路２と比較して、オペアンプ回路２ａの消費電力を低減することができる。さらに、ダミー出力端子Ｖｏ０及び負荷回路Ｌ１〜Ｌ３のそれぞれに必要な電力に適合した半導体サイズに、ＮチャンネルＭＯＳトランジスタ５０〜５３を形成することができるので、電圧供給回路６ａ全体の消費電力及びコストを低減することができる。
【００４８】
（第３の実施形態）
図５は電圧供給回路６ｂの回路図である。第３の実施形態における電圧供給回路６ｂが第２の実施形態における電圧供給回路６ａ（図３）と異なる点は、バッファ回路５ａがバッファ回路５から変更されている点、及び検出回路４ａが検出回路４から変更されている点である。電圧供給回路６ｂにおけるその他の構成、動作、及び効果は、電圧供給回路６ａと同等であるので、説明を省略する。
【００４９】
バッファ回路５ａは、ＮチャンネルＭＯＳトランジスタ５１〜５３を含み、ＮチャンネルＭＯＳトランジスタ５０を含まない。検出回路４ａは、抵抗４２〜４７を含み、抵抗４０、４１を含まない。その結果、供給停止状態帰還経路において、出力端子Ｐｇ０は、入力端子Ｐｆ０に直接に接続（すなわち、短絡）されている。さらに、供給停止状態帰還経路は、接地端子から絶縁されている。検出回路４ａは、通過出力電圧Ｖｇ０を検出電圧Ｖｆ０とする。
【００５０】
電圧供給回路６ｂは、１つのオペアンプ回路２ａ及びバッファ回路５ａを用いて、出力端子Ｐｏ１〜Ｐｏ３にそれぞれ選択出力電圧Ｖｏ１〜Ｖｏ３を生成する、３つの供給状態シリーズレギュレータを構成する。電圧供給回路６ｂは、選択出力電圧Ｖｏ０を生成する供給停止状態シリーズレギュレータを含まない。オペアンプ回路２ａは、供給停止状態において、供給停止状態帰還経路により、出力端子Ｐｇ０が反転入力端子に直結されるため、バッファ回路として動作する。
【００５１】
このように、第３の実施形態の電圧供給回路６ｂによれば、第２の実施形態の電圧供給回路６ａと同様な効果が得られるとともに、ＮチャンネルＭＯＳトランジスタ５０及び抵抗４０、４１を削減できるため、電圧供給回路６ａに比較して、さらに電圧供給回路６ｂ全体の消費電力及びコストを低減することができる。
【００５２】
尚、図３の電圧供給回路６ａをベースに図５の電圧供給回路６ｂを構成したように、図１の電圧供給回路６をベースに抵抗４０、４１を取り除き、図６の電圧供給回路６ｃを構成してもよい。電圧供給回路６ｃでは、電圧供給回路６ｂと同様に、オペアンプ回路２は、供給停止状態において、供給停止状態帰還経路により、出力端子Ｐｇ０が反転入力端子に直結されるため、バッファ回路として動作する。
【００５３】
（実施形態のまとめ）
尚、上述した実施形態において、出力端子は、出力端子Ｖｏ１〜Ｖｏ３のように３つとしたが、２つ以上であればいくつでもよい。また、ダミー出力端子を経由する供給停止状態帰還経路は、省略されてもよい。
【００５４】
以上のように、電圧供給回路６によれば、２つ以上の負荷回路Ｌ１〜Ｌ３にそれぞれ異なる電圧を同時に１系統だけ供給する場合に、選択回路３を用いることにより、１個のオペアンプ回路２だけで構成することができる。これにより、回路規模を縮小し、消費電力及びコストを低減することができる。さらに、供給停止状態帰還経路を設けてオペアンプ回路２を常に動作状態にすることにより、続いて負荷回路Ｌ１〜Ｌ３へ電圧を供給開始する場合に、供給電圧を高速に立ち上げることができる。
【００５５】
また、電圧供給回路６ａによれば、誤差増幅回路の機能を有するオペアンプ回路２ａと、電流増幅回路の機能を有するバッファ回路５に、機能を分離することができる。これにより、電圧供給回路６の効果に加え、オペアンプ回路２と比較して、オペアンプ回路２ａの消費電力を低減することができる。さらに、ダミー出力端子Ｖｏ０及び負荷回路Ｌ１〜Ｌ３のそれぞれに必要な電力に適合した半導体サイズに、ＮチャンネルＭＯＳトランジスタ５０〜５３を形成することができるので、電圧供給回路６ａ全体の消費電力及びコストを低減することができる。
【００５６】
また、電圧供給回路６ｂによれば、電圧供給回路６ａと同様な効果が得られるとともに、ＮチャンネルＭＯＳトランジスタ５０及び抵抗４０、４１を削減できるため、電圧供給回路６ａに比較して、さらに電圧供給回路６ｂ全体の消費電力及びコストを低減することができる。
【００５７】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【００５８】
本発明は、電圧供給回路に利用できる。
【図面の簡単な説明】
【００５９】
【図１】本発明の第１の実施形態に係る電圧供給回路の回路図。
【図２Ａ】本発明の第１の実施形態に係る電圧供給回路の選択回路の回路図。
【図２Ｂ】本発明の第１の実施形態に係る電圧供給回路の選択回路の選択関係を示す関係図。
【図３】本発明の第２の実施形態に係る電圧供給回路の回路図。
【図４】本発明の第２の実施形態に係る電圧供給回路の選択回路の回路図。
【図５】本発明の第３の実施形態に係る電圧供給回路の回路図。
【図６】本発明の第３の実施形態の変形例に係る電圧供給回路の回路図。
【図７】従来例の電圧供給回路の回路図。
【符号の説明】
【００６０】
１  入力端子
２  オペアンプ回路
３、３ａ  選択回路
３Ａ、３Ａａ  出力選択回路
３Ｂ  入力選択回路
３Ｃ  選択制御回路
４  検出回路
５  バッファ回路
６、６ａ、６ｂ、６ｃ  電圧供給回路
７  直流電圧源
８  制御部
２０  基準電圧発生回路
３０、３０ａ  制御端子
４０、４１、４２、４３、４４、４５、４６、４７  抵抗
５０、５１、５２、５３  トランジスタ
Ｌ１、Ｌ２、Ｌ３  負荷回路
Ｐｏ０  ダミー出力端子
Ｐｏ１、Ｐｏ２、Ｐｏ３  出力端子
【図１】
2010198570.tif 000003
【図２Ａ】
2010198570.tif 000004
【図２Ｂ】
2010198570.tif 000005
【図３】
2010198570.tif 000006
【図４】
2010198570.tif 000007
【図５】
2010198570.tif 000008
【図６】
2010198570.tif 000009
【図７】
2010198570.tif 000010